(57)【要約】【課題】仕掛けづくりが極めて容易で、釣船等での操作性に優れ、またイワシや小アジ等の活餌を用いてアオリイカの捕食習性を利用し、活餌に乗ったアオリイカの取込率を大幅に高めることが可能なイカ釣り用仕掛けを提供する。【解決手段】ハリス１に、第１太径部１ａ、第２太径部１ｂ及び第３太径部１ｃを形成し、第１太径部１ａと第２太径部１ｂ間には、活餌Ｆが遊泳可能に活餌掛け針２を取り付け、第２太径部１ｂと第３太径部１ｃ間には、イカ掛け針３が昇降自在に取り付けられている。【選択図】図１
0003131423.tif 000002
【実用新案登録請求の範囲】
【請求項１】
ハリスの中途部に所定の間隔を設けて第１、第２及び第３太径部を形成し、
前記第１太径部と第２太径部間には、活餌掛け針を活餌が遊泳可能にサルカンを介してハリスに取り付け、
前記第２太径部と第３太径部間には、複数本の錨針を集束してなるイカ掛け針が、挿通されたハリスに沿って昇降可自在に取り付けられていることを特徴とする、イカ釣り用仕掛け。
【請求項２】
前記活餌掛け針は、海中にあるときイカ掛け針より上位になるように取り付けられていることを特徴とする、請求項１に記載のイカ釣り用仕掛け。
【請求項３】
前記イカ掛け針は、隣接する複数本の錨針の直線外周部を平面視略円形状に当接させて溶着し、ハリスの直径より大とした垂直状の挿通孔を形成し、かつ該挿通孔の内径は、第２太径部と第３太径部の外径よりも小としていることを特徴とする、請求項１〜請求項２の何れかに記載のイカ釣り用仕掛け。
【請求項４】
前記第１太径部と第２太径部の外径は、前記サルカンの一側に設けたリングの内径よりも大としたことを特徴とする、請求項１〜請求項３の何れかに記載のイカ釣り用仕掛け。
【請求項５】
前記第１太径部と第２太径部の間隔は、少なくとも第２太径部と第３太径部の間隔よりも大としていることを特徴とする、請求項１〜請求項４の何れかに記載のイカ釣り用仕掛け。
【請求項６】
前記第１太径部と第２太径部の間隔寸法は、約３５ｃｍ〜４５ｃｍとし、第２太径部と第３太径部の間隔寸法は、約１５ｃｍ〜２５ｃｍとしていることを特徴とする、請求項１〜請求項５の何れかに記載のイカ釣り用仕掛け。
【請求項７】
前記イカ掛け針の全体は、黒色又は暗褐色としていることを特徴とする、請求項１〜請求項６の何れかに記載のイカ釣り用仕掛け。
【考案の詳細な説明】
【技術分野】
【０００１】
本考案は、イカ釣り用仕掛けのうち、主にアオリイカ釣り用の仕掛けに関し、より詳しくは、イワシや小アジ等の活餌を用いアオリイカの捕食習性を利用し、該アオリイカの取込率を高めることができるイカ釣り用仕掛けに関する。
【背景技術】
【０００２】
日本近海には約８０種のイカがいるとされている。アオリイカは、別名ミズイカ、モイカ、バショウイカ又はクツイカとも称され、主に本州中部、四国及び九州の太平洋沿岸に生息し、平均胴長は約４０ｃｍ〜４５ｃｍで、多種あるイカのなかでも最も美味であるため、イカの王様とも言われている。近年は、釣り船や防波堤等でのアオリイカ狙いの釣人が増加の傾向となっている。
【０００３】
イカ釣りには、スッテ（餌木）や疑似餌のイカヅノを使用した釣り方や、イワシや小アジ等の活餌を使用したブッ込み釣りやウキ釣り等の方法があるが、大型のアオリイカを狙うような場合には、イワシや小アジ等の生き餌を使用したブッ込み釣りやウキ釣りが行なわれるのが一般的となっている。ブッ込み釣りは、釣り竿から延ばした道糸の先端に、生きたイワシや小アジ等の尾部を結び付けた状態で投げ込み、イカがアジに乗った段階で、掛け針の付いたヤエン（野猿）を道糸に沿って投入し、そのヤエンによってイカを釣り上げるという方法である。
【０００４】
図５に例示するのは、アオリイカＣ２を釣るために一般的に使用されているヤエン２０であって、ピアノ線等の線材の一側に錘２１を、他側には掛け針２２を取り付けるとともに、基部側に道糸２３を通す螺旋状の掛け止め部２４・２４を形成した構成となっている。
【０００５】
イカ釣りに使用されるヤエンは、道糸の先端に結び付けたイワシや小アジ等の生き餌にイカが乗った感触を感じてから約２〜４分後、該ヤエンを道糸に沿わせて投下し、ヤエンに取り付けられた掛け針でイカを取り込もうとするが、従来から一般に使用されているような構成のヤエンを使用した場合、その投入のタイミングが難しく、ヤエンにイカがうまく掛かる確率は非常に低く、掛かったとしても、掛かりが浅く、身切れをおこして取り込みに失敗する場合が極めて多く、また、道糸への装着に手間取って、微妙なタイミングを逃してしまうことが多い。したがってヤエン式仕掛けないし釣り方によるアオリイカの取込率は、約２〜３割と低率となっている。
【０００６】
上記のヤエン式仕掛けないし釣り方の欠点を解消するために、例えば特開２００２−２０９４８７の「イカ釣具」（特許文献１）や特開２００２−５８４０４「イカ釣り仕掛け」（特許文献２）等が提案されている。特開２００２−２０９４８７は、一側に道糸を通すためのガイドリングと錘を設け、他側に複数の針を設けたイカ釣具であって、前記ガイドリングを道糸方向に二カ所設け、二つのガイドリングを連結する主杆上に錘を摺動可能に配置し、該錘の位置を調整可能としたことを特徴としている。また特開２００２−５８４０４は、水面に浮く浮子に吊された道糸にサルカンを介して繋がる釣り糸と、生き餌糸の２本を有し、釣り糸は繋留管を牽引し、その中を通って水中に垂れ、小環を通って小環を結び止め、さらに餌針に固着されたガイド環を通って掛け針を結び止める。一方、生き餌糸は繋留管の中でピンによって仮固定され、その上端の一部を繋留管の外にのぞかせ下方で小環を結び止め、小環を通ってさらに餌針を結び止めことを特徴としている。
【特許文献１】特開２００２−２０９４８７号公報（図１〜４参照）
【特許文献２】特開２００２−５８４０４号公報（図１〜４参照）
【考案の開示】
【考案が解決しようとする課題】
【０００７】
しかしながら、特許文献１〜２の「イカ釣具」ないし「イカ釣り仕掛け」は、いずれも構成部品が多数でありかつ、大がかりであるために、仕掛けづくりに長時間を要し、また釣船や防波堤等での円滑な操作ができないという欠点を払拭できない。本考案の課題は、アオリイカの一般的な仕掛けないし釣り方とされているヤエン式仕掛け等の欠点を除去し、また特許文献１〜２が有する問題点を解消し、仕掛けづくりが極めて容易であり、釣船等での操作性に優れ、またイワシや小アジ等の活餌を用いてアオリイカの捕食習性を利用し、活餌に乗ったアオリイカの取込率を大幅に高めることが可能なイカ釣り用仕掛けを提供することにある。
【課題を解決するための手段】
【０００８】
本考案者等は、上記従来技術が有する各種問題点に鑑み、鋭意検討を重ね、特にアオリイカが活餌を下足で抱くように捕捉した（乗った）後、海底方向に下降して捕食する習性に着目して本考案を完成したものである。
課題を解決するための手段は、本願、実用新案登録請求の範囲の各請求項に記載の考案であり、その具体的な解決手段は、以下の通りである。
【０００９】
上記の課題を解決するための第１の考案は、請求項１に記載する考案であり、ハリスの中途部に所定の間隔を設けて第１、第２及び第３太径部を形成し、前記第１太径部と第２太径部間には、活餌掛け針を活餌が遊泳可能にサルカンを介してハリスに取り付け、前記第２太径部と第３太径部間には、複数本の錨針を集束してなるイカ掛け針が、挿通されたハリスに沿って昇降自在に取り付けられていることを特徴としている。
【００１０】
課題を解決するための第２の考案は、請求項２に記載する考案であり、前記活餌掛け針は、海中にあるときイカ掛け針より上位になるように取り付けられていることを特徴としている。
【００１１】
課題を解決するための第３の考案は、請求項３に記載する考案であり、前記イカ掛け針は、隣接する複数本の錨針の直線外周部を平面視略円形状に当接させて溶着し、ハリスの直径より大とした垂直状の挿通孔を形成し、かつ該挿通孔の内径は、第２太径部と第３太径部の外径よりも小としていることを特徴としている。
【００１２】
課題を解決するための第４の考案は、請求項４に記載する考案であり、前記第１太径部と第２太径部の外径は、前記サルカンの一側に設けたリングの内径よりも大としたことを
特徴としている。
【００１３】
課題を解決するための第５の考案は、請求項５に記載する考案であり、前記第１太径部と第２太径部の間隔は、少なくとも第２太径部と第３太径部の間隔よりも大としていることを特徴としている。
【００１４】
課題を解決するための第６の考案は、請求項６に記載する考案であり、前記第１太径部と第２太径部の間隔寸法は、約３５ｃｍ〜４５ｃｍとし、第２太径部と第３太径部の間隔寸法は、約１５ｃｍ〜２５ｃｍとしていることを特徴としている。
【００１５】
課題を解決するための第７の考案は、請求項７に記載する考案であって、前記イカ掛け針の全体は、黒色又は暗褐色としていることを特徴としている。
【考案の効果】
【００１６】
本考案に係るイカ釣り用仕掛けは、上記した特徴的な構成になるから、以下のような効果を奏する。すなわち、第１〜第２の考案によれば、本考案は、ハリスの中途部に所定の間隔を設けて形成された第１、第２及び第３の太径部と、第１太径部と第２太径部間に取り付けられた活餌掛け針と、第２太径部と第３の太径部間に取り付けられたイカ掛け針とからなる極めて簡素な構成であり、また第１〜第３の太径部は、ハリスの所定位置を指先で１〜２回結着するだけで形成できるので、仕掛けづくりは短時間で完了する。また活餌掛け針は、海中にあるときイカ掛け針より上位になるように取り付けられているので、アオリイカが活餌に乗れば、該アオリイカは、その捕食習性で海底に向けて下降し、釣人はこれに対応して素早く釣竿を立てて合わせれば、それに伴い活餌より下位にあるイカ掛け針は、瞬時に上昇し、活餌に乗ったアオリイカの下足又は口元近傍部に掛かるので、イカ釣り経験の浅い釣人でもばらすことなく容易にアオリイカを釣り上げて取り込むことができ、その取込率は９割超とすることができた。
【００１７】
第３〜第４の考案によれば、イカ掛け針は、隣接する複数本の錨針の直線外周部を平面視略円形状に当接させて溶着し、ハリスの直径より大とした垂直状の挿通孔を形成し、かつ該挿通孔の内径は、第２太径部と第３太径部の外径よりも小とし、第１太径部と第２太径部の外径は、前記サルカンの一側に設けたリングの内径よりも大としているから、イカ掛け針は、第２太径部と第３太径部間で保持され、活餌の動き、海流、水圧等により上下左右に揺動しており、また活餌は、第１太径部と第２太径部間で遊泳して、アオリイカの食いつきを誘引し、アオリイカが活餌に乗れば、イカ掛け針はすぐに上昇し、アオリイカの下足又は口元近傍部に引っ掛かるので、ヤエン釣りのように、約２〜４分の合わせ待ち時間が不要となった。
【００１８】
第５〜第６の考案によれば、第１太径部と第２太径部の間隔は、少なくとも第２太径部と第３太径部の間隔よりも大とし、その間隔寸法は、第１太径部と第２太径部間が、約３５ｃｍ〜４５ｃｍ、第２太径部と第３太径部間が、約１５ｃｍ〜２５ｃｍとしており、成人男性又は女性が片手を左右に拡張した状態で約２０ｃｍ前後であるから、第１、第２及び第３太径部を形成するための位置決めが極めて簡便にできる。
【００１９】
第７の考案によれば、イカ掛け針の全体は、黒色又は暗褐色としているので、アオリイカの眼は、白色、光等に敏感であるが、黒色又は暗褐色には鈍感とされており、アオリイカイカは遊泳する活餌を追いかけ周り、イカ掛け針の存在に気づかれ難いので、活餌に乗る率も向上する。
【考案を実施するための最良の形態】
【００２０】
以下、本考案に係る、イカ釣り用仕掛けに関する最良の実施形態について、図面を参照しながら説明する。図１は、本考案のイカ釣り用仕掛けの全体を示す一部切欠正面図、図２は、太径部の拡大正面図、図３（ａ）は、イカ掛け針の平面図、図３（ｂ）は、同一部切欠正面図、図４は、活餌掛け針とイカ掛け針の動作を説明する正面図、図５は、従来のヤエン式仕掛けの斜視図である。
【００２１】
図１に示す本考案に係るイカ釣り用仕掛けＳは、ハリス１に形成される、第１太径部１ａ、第２太径部１ｂ及び第３太径部１ｃと、活餌掛け針２及びイカ掛け針３を主な構成部材としている。ハリス１は５号〜１０号好ましくは１０号が使用され、その中途部には所定の間隔寸法Ｌ１及びＬ２が設けられ、第１太径部１ａ、第２太径部１ｂ及び第３太径部１ｃが形成されている。Ｌ１は、第１太径部１ａと第２太径部１ｂの間隔寸法で、約３５ｃｍ〜４５ｃｍ好ましくは約４０ｃｍで、Ｌ２は、第２太径部１ｂと第３太径部１ｃの間隔寸法で、約１５ｃｍ〜２５ｃｍ好ましくは約２０ｃｍとしている。図１に示すように活餌掛け針２は、海中にあるとき、イカ掛け針３より上位になるように配置される。これは活餌掛け針２に、鼻掛けされたイワシや小アジ等の活餌Ｆをアオリイカが捕捉したとき、該アオリイカは海底方向へ急速に下降する習性（図４参照）があるので、第２太径部１ｂと第３太径部１ｃ間に取り付けられたイカ掛け針３に自ずから接近し、釣人の合わせを極めて容易にするためである。
【００２２】
図１に示すＬは、ハリス１の全体長さで、道糸Ｍに連結する上部サルカンＭａから錘Ｇに連結する下部サルカンＧａまでの長さで、約１５０ｃｍ〜１７０ｃｍ好ましくは約１６０ｃｍとしている。上部サルカンＭａから約５０ｃｍの位置に第１太径部１ａが形成され、第１太径部１ａから下方の約４０ｃｍ位置に第２太径部１ｂが形成され、第２太径部１ｂからさらに下方の約２０ｃｍの位置に第３太径部１ｂが形成されている。第１太径部１ａ、第２太径部１ｂ及び第３太径部１ｃは、図２に示すように、ハリス１を１〜２回結着して塊状に形成されている。
【００２３】
活餌掛け針２は、サルカン付黒１１号の使用が好ましく、サルカン２ａの一側にあるリング２ｂを介してハリス１の第１太径部１ａと第２太径部１ｂ間に取り付けられている。リング２ｂの内径は、塊状に形成された第１太径部１ａ及び第２太径部１ｂより小としているから、活餌掛け針２にイワシや小アジ等Ｆの活餌を鼻掛けして海中に投入すると、該活餌Ｆは第１太径部１ａと第２太径部１ｂ間で自由に遊泳し、アオリイカＣ１を誘引するようになっている。
【００２４】
イカ掛け針３は、図１、図３（ａ）及び図３（ｂ）に示すように、中通し式６本錨針２Ｌが使用され、各錨針３ａ、３ｂ、３ｃ、３ｄ、３ｅ及び３ｆは、約６０°の間隔で平面視略円形状に集束され、各錨針３ａ〜３ｆはそれぞれが隣接する錨針の直線外周部を当接して溶着され、ハリス１の直径より大とした垂直状の挿通孔３ｈを形成し、かつ該挿通孔３ｈの内径は、塊状に形成された第２太径部１ｂと第３太径部１ｃの外径よりも小とされており、イカ掛け針３は、海中にあるとき第２太径部１ｂと第３太径部１ｃ間で海流又は水圧等により昇降自在となっている。３ｊは、溶着された錨針３ａ〜３ｆの外周面を被覆した塗料膜で、各錨針３ａ〜３ｆと共に、黒色又は暗褐色とされている。イカ掛け針３の全体高さＨは、約１８ｍｍ、最大幅Ｄは、約２２ｍｍとしている。なお、Ｒは釣り竿、Ｒａはリールである。
【００２５】
本考案に係る、イカ釣り用仕掛けＳは、以下の手順で製作される。まず長さ約１６０ｃｍ、太さ１０号のハリス１を使用する。該ハリス１の上端部からイカ掛け針３を挿通し、続いて活餌掛け針２をサルカン２ａの一側にあるリング２ｂに挿通する。次に、ハリス１の上端部から約５０ｃｍの位置を一方の手の指先で摘み、該摘み部に他方の手指を添えて１〜２回、強く結べば塊状の第１太径部１ａが形成される。そして活餌掛け針２のみを第１太径部１ａの方向に寄せた後、第１太径部１ａの位置から片手を軽く２回下方又は横方向に拡張すれば、第２太径部１ｂを形成する約４０ｃｍの位置が確定できるので、第１太径部１ａを形成したときと同様に当該位置を一方の手の指先で摘み、該摘み部に他方の手指を添えて１〜２回、強く結べば塊状の第２太径部１ｂが形成される。続いてハリス１に挿通されているイカ掛け針３を第２太径部１ｂ方向に寄せた後、第２太径部１ｂから片手を軽く１回下方に拡張すれば、第３太径部１ｃを形成する約２０ｃｍの位置が確定できるので、第１太径部１ａ及び第２太径部１ｂを形成したときと同様に当該位置を一方の手の指先で摘み、該摘み部に他方の手指を添えて１〜２回、強く結べば塊状の第３太径部１ｃが形成される。これにより、活餌掛け針２は、第１太径部１ａと第２太径部１ｂ間に遊動可能に保持され、またイカ掛け針３は、第２太径部１ｂと第３太径部１ｃ間に昇降自在に保持される。ハリス１の上端部は、道糸と連結するための上部サルカンＭａに緊縛され、またハリス１の下端部は、錘Ｇと連結するための下部サルカンＧａに緊縛されて、本考案に係るイカ釣り用仕掛けＳの製作作業は完了する。
【００２６】
次に本考案に係る、イカ釣り用仕掛けＳの使用態様を、関連図面（図１、図３（ａ）、図３（ｂ）及び図４）を参照しながら説明する。上部サルカンＭａには、釣り竿Ｒに装着されたリールＲａに巻回された道糸Ｍの終端部が緊縛され、また下部サルカンＧａには錘Ｇ（３０〜３５号）が緊縛される。活餌掛け針２にイワシや小アジ等の活餌Ｆを鼻掛けして海中に投入すれば、該活餌Ｆは第１太径部１ａと第２太径部１ｂ間で自由に遊泳する。遊泳している活餌Ｆを見つけたアオリイカＣ１は、図４に示すように下足で活餌Ｆを抱き込むように捕捉して急速に海底方向に下降（矢印、ＤＯＷＮ ）する。これに反動してイカ掛け針３は、図示するように海面方向に上昇（矢印、ＵＰ）する。活餌Ｆの下降による重みでアオリイカＣ１が活餌Ｆに乗ったことを感じた釣り人は、釣り竿Ｒを立てながらこれに合わせてリールＲａを迅速に巻回すれば、イカ掛け針３は、アオリイカＣ１の下降と上昇の相乗作用で、アオリイカＣ１の下足又は口元近傍に的確かつ瞬時に引っ掛かり、釣り人は、これをばらすことなく取り込むことができ、その取込率は９割超とすることができる。
【図面の簡単な説明】
【００２７】
【図１】は、本考案のイカ釣り用仕掛けの全体を示す一部切欠正面図である。
【図２】は、太径部の拡大正面図である。
【図３】（ａ）は、イカ掛け針の平面図である。            （ｂ）は、同一部切欠正面図である。
【図４】は、活餌掛け針とイカ掛け針の動作を説明する正面図である。
【図５】は、従来のヤエン式仕掛けの斜視図である。
【符号の説明】
【００２８】
Ｓ                                    イカ釣り用仕掛け
１                                    ハリス
１ａ                                  第１太径部
１ｂ                                  第２太径部
１ｃ                                  第３太径部
２                                    活餌掛け針
２ａ                                  サルカン
２ｂ                                  リング
３                                    イカ掛け針
３ａ、３ｂ、３ｃ、３ｄ、３ｅ、３ｆ    錨針
３ｈ                                  挿通孔
Ｌ                                    ハリスの全体長さ
Ｌ１                                  第１太径部と第２太径部の間隔寸法
Ｌ２                                  第２太径部と第３太径部の間隔寸法
Ｒ                                    釣り竿
Ｒａ                                  リール
Ｍ                                    道糸
Ｍａ                                  上部サルカン
Ｆ                                    活餌
Ｇ                                    錘
Ｇａ                                  下部サルカン
【図１】
0003131423.tif 000003
【図２】
0003131423.tif 000004
【図３】
0003131423.tif 000005
【図４】
0003131423.tif 000006
【図５】
0003131423.tif 000007